(57)【要約】【課題】係止バネ片が外力により変形しないように保護すること。【解決手段】コンタクト１１の係止部１３は、変位方向Ｚで変位する係止バネ片２１と、ベース板部１６から前記変位方向Ｚに沿って延びている第１保護側板部２３ａと、該第１保護側板部２３ａから曲げられて前記係止バネ片２１を覆っている第２保護側板部２３ｂとを有し、インシュレータ３１は、前記コンタクト１１をコンタクト収容部３２ａへ挿入する途中で前記係止バネ片２１を前記変位方向Ｚへ押圧しかつ前記コンタクト１１を前記コンタクト収容部３２ａに収容した状態で前記係止バネ片２１の先端に対向し前記コンタクト１１の前記第２の方向Ｂへの移動を規制する係止突起部３４を設けた。【選択図】　　　図１
2004134109.tif 000002
【特許請求の範囲】
【請求項１】
導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端を開放しかつ前記コンタクトが前記一軸線回りへ移動するのを規制して前記インシュレータの所定位置に保持するよう前記一軸線に沿って延びている壁面によって囲まれているコンタクト収容部を有しているコネクタにおいて、
前記係止部は、前記ベース板部に対向しかつ前記ベース板部に対して近づく向きの変位方向で変位する係止バネ片と、前記一軸線を直交する前記ベース板部の幅方向の一辺側から前記係止バネ片の前記変位方向に沿って延びている第１保護側板部と、該第１保護側板部から曲げられて前記係止バネ片の前記変位方向で対向するよう前記係止バネ片を覆っている第２保護側板部とを有し、前記壁面には、前記コンタクトを前記コンタクト収容部へ挿入する途中で前記係止バネ片及び前記第２保護側板部間に受け入れて前記係止バネ片を前記変位方向へ押圧しかつ前記コンタクトを前記コンタクト収容部の所定位置に収容した状態で前記係止バネ片の前記第２の方向における先端に対向し前記コンタクトの前記第２の方向への移動を規制するよう前記コンタクト収容部へ突出している係止突起部が設けられていることを特徴とするコネクタ。
【請求項２】
請求項１記載のコネクタにおいて、前記係止部は、前記ベース板部の前記幅方向のもう一辺側から前記第１バネ保護部に対向するよう前記係止バネ片の前記変位方向に沿って延びている第３保護側板部を有し、該第２保護側板部及び前記第３保護側板部間に前記係止突起部が入り込む第１の隙間を有していることを特徴とするコネクタ。
【請求項３】
請求項２記載のコネクタにおいて、前記接触部は、前記ベース板部の前記一辺側から延びている接触側板部と、前記ベース板部に対向しかつ前記接触側板部に接続されている接触支持板部とを有し、前記係止バネ片は、前記接触支持片の前記第２の方向における一端から前記第２の方向へ延びて前記第２保護側板部に対向しており、前記第２保護側板部が前記ベース板部から前記接触支持板部までの高さ寸法よりも高い寸法に設定されていることを特徴とするコネクタ。
【請求項４】
請求項２記載のコネクタにおいて、前記接触部は、前記ベース板部の前記一辺側から延びている接触側板部と、前記ベース板部に対向しかつ前記接触側板部に接続されている接触支持板部とを有し、前記係止バネ片は、前記第３保護側板部に接続されて前記第２保護側板部に対向しており、前記第２保護側板部が前記ベース板部から前記接触支持板部までの高さ寸法よりも高い寸法に設定されていることを特徴とするコネクタ。
【請求項５】
請求項１乃至４のいずれか１項に記載のコネクタにおいて、前記壁面は前記ベース板部を設置する第１壁面と、該第１壁面に対向している第２壁面と、前記第１及び第２壁面を接続している第３の壁面及び第４壁面を有し、前記第１乃至第４壁面によって前記コンタクト収容部が形成されており、前記第３及び第４壁面のいずれか一方に前記係止突起部が設けられており、前記係止突起部及び前記第２壁面間は、前記コンタクトを前記コンタクト収容部へ収容する途中で前記第２保護側板部が入り込む第２の隙間を有していることを特徴とするコネクタ。
【請求項６】
請求項２乃至５のいずれか１項に記載のコネクタにおいて、前記係止突起部は、前記コンタクト収容部へ前記コンタクトが前記第１の方向で挿入されて前記第１の隙間に前記第２保護側板部が入り込みかつ前記第２保護側板部及び前記係止バネ片間に前記係止突起部が位置したときに前記係止バネ片に当接するテーパ面と、さらに前記コンタクトが前記第１の方向へ挿入されたときに前記テーパ面に引き続き前記係止バネ片が摺接しつつ前記ベース板部側へ押圧して変位させる第１摺接面と、前記第２保護側板部及び前記係止バネ片間に前記係止突起部が位置したときに前記第２保護側板部に摺接する第２摺接面と、前記コンタクトが前記所定位置に位置したときに前記係止バネ片の先端が対向して前記コンタクトの前記第２の方向への移動を阻止する係止面とを有していることを特徴とするコネクタ。
【請求項７】
請求項６記載のコネクタにおいて、前記係止バネ片は、前記テーパ面に対応するようテーパ形状に形成したバネ傾斜部と、前記テーパ面及び前記第１の摺接面を摺動するよう前記バネ傾斜部の先端側に形成したバネ端部とを有していることを特徴とするコネクタ。
【請求項８】
請求項６記載のコネクタにおいて、前記コンタクトを前記コンタクト収容部の所定位置に収容した状態で、前記係止突起部の第２摺接面に前記第２保護側板部の前記第２の方向における端部が対向していることを特徴とするコネクタ。
【発明の詳細な説明】
【０００１】
【発明の属する技術分野】
本発明は、インシュレータに一方向から挿入されるコンタクトを、インシュレータに収容して保持するコネクタに属する。
【０００２】
【従来の技術】
先行技術におけるコネクタは、図８に示すように、導電性のコンタクト３１１と、コンタクト３１１を保持しているインシュレータ３３１とを有している。コンタクト３１１は、インシュレータ３３１内へ挿入される相手側コネクタの導電性の相手コンタクト（図示せず）に接触する接触部３１２と、ケーブル３６１の芯線３６２を接続する芯線接続部３３４と、ケーブル３６１を保持する保持部３３５とを有している。
【０００３】
インシュレータ３３１は、コンタクト３３１を所定位置に保持するように、壁面３３５によって囲まれているコンタクト収容部３３７を有している。
【０００４】
インシュレータ３３１には、壁面３３５からコンタクト収容部３３７へ延びているランス４０１が形成されている。ランス４０１の先端は、接触部３１２の後部に掛かり、コンタクト３１１を係止している。インシュレータ３３１は、通常、プラスチック材料で形成加工され製作されるが、ランス４０１の形状が細長いものであることから成型時には十分な材料を充填する必要がある。
【０００５】
また、ランス４０１は、コンタクト収容部３３７へコンタクト３１１を挿入して保持するときに、接触部３１２によって押圧されて変位し、ランス４０１の先端が接触部３１２の後部に位置したときに、元の状態に戻り、接触部３１２の後部で係止するものである（例えば、特許文献１参照）。
【０００６】
【特許文献１】
実用新案登録第２５２４３６５号公報（第２頁第４列、図２（ｄ））
【０００７】
【発明が解決しようとする課題】
しかしながら、インシュレータ３３１のランス４０１の形状は、弾性を有するように細長い形状に成型されるものであることから、成型時には十分な材料が充填されないことがあり未充填部分がある場合にコンタクト３１１を係止する位置が変わってしまうという問題がある。
【０００８】
また、ランス４０１は、コンタクト収容部３３７へコンタクト３１１を挿入して保持するときに、接触部３１２によって押圧されて変位するので、形状、厚み寸法を大きく設定しなければならず、インシュレータ３３１そのものが大きくなってしまうという問題がある。
【０００９】
それ故に本発明の課題は、係止バネ片が外力により変形しないように保護することができ、十分にコンタクトを保持することができ、さらに小形化が可能なコネクタを提供することにある。
【００１０】
【課題を解決するための手段】
本発明によれば、導電性のコンタクトと、該コンタクトが一軸線に沿って第１の方向で挿入され保持されているインシュレータとを有し、前記コンタクトは、前記第１の方向とは逆向きの第２の方向から前記インシュレータ内へ挿入される相手側コネクタの導電性の相手コンタクトに接触する接触部と、前記インシュレータに係止するよう該接触部の前記第２の方向における一端に前記一軸線に沿って連接している係止部とを含み、前記接触部及び前記係止部が前記一軸線に沿って延びている互いに共通なベース板部を有し、前記インシュレータは、前記第１及び第２の方向の両端を開放しかつ前記コンタクトが前記一軸線回りへ移動するのを規制して前記インシュレータの所定位置に保持するよう前記一軸線に沿って延びている壁面によって囲まれているコンタクト収容部を有しているコネクタにおいて、前記係止部は、前記ベース板部に対向しかつ前記ベース板部に対して近づく向きの変位方向で変位する係止バネ片と、前記一軸線を直交する前記ベース板部の幅方向の一辺側から前記係止バネ片の前記変位方向に沿って延びている第１保護側板部と、該第１保護側板部から曲げられて前記係止バネ片の前記変位方向で対向するよう前記係止バネ片を覆っている第２保護側板部とを有し、前記壁面には、前記コンタクトを前記コンタクト収容部へ挿入する途中で前記係止バネ片及び前記第２保護側板部間に受け入れて前記係止バネ片を前記変位方向へ押圧しかつ前記コンタクトを前記コンタクト収容部の所定位置に収容した状態で前記係止バネ片の前記第２の方向における先端に対向し前記コンタクトの前記第２の方向への移動を規制するよう前記コンタクト収容部へ突出している係止突起部が設けられていることを特徴とするコネクタが得られる。
【００１１】
【作用】
本発明では、コンタクトを第１の方向でコンタクト収容部に挿入する途中で、係止突起部に係止バネ片が当接する。さらに、コンタクトを第１の方向Ａへ挿入していくと、係止バネ片が係止突起部によって押圧されて撓み変位する。このとき、係止部は、係止突起部を摺接して第１の方向へ移動する。
【００１２】
そして、さらに、コンタクトを第１の方向へ挿入していくと、係止バネ片が係止突起部を乗り越えて、係止突起部から係止バネ片が外れることによって押圧が解除され、係止バネ片がバネ復元力によって元の位置へ戻る。この状態では、係止バネ片の先端が係止突起部に限りなく近づいて対向するか、互いに当接するように位置させることができるので、コンタクトの第２の方向への移動が阻止される。
【００１３】
第１保護側板部及び第２保護側板部は、コンタクトを搬送するときや、インシュレータへコンタクトを挿入するとき係止バネ片が外力により変形しないように保護することができる。
【００１４】
また、コンタクトは、導電板をプレス打ち抜き加工を行った後、曲げ加工を施すことによって製作することができ、インシュレータの係止突起部は、プラスチック材によってインシュレータを成型するときに同時に成型することができる。
【００１５】
【発明の実施の形態】
図１は、本発明に係るコネクタの第１実施の形態例を示している。図２は、図１に示したコンタクトを示している。なお、図１は、コンタクトをインシュレータへ挿入する途中の状態と、コンタクトを挿入後の状態とを示している。
【００１６】
図１及び図２を参照して、コネクタは、一軸線Ｘ（図２を参照）に長い寸法の導電性のコンタクト１１と、コンタクト１１を収容するインシュレータ３１とを有している。コンタクト１１は、コンタクト１１の一軸線Ｘにおける第１の方向Ａ端を前方としてインシュレータ３１の後述する複数のコンタクト収容部３２ａ，３２ｂ，３３ｃ，３３ｄへ一対一に挿入して収容される。ここで、第１の方向Ａは、コンタクト１１をインシュレータ３１へ挿入する方向と同じ方向である。
【００１７】
コンタクト１１は、一軸線Ｘを直交する断面が略四角形状を呈している筒形状の接触部１２と、接触部１２から第１の方向Ａとは逆向きの第２の方向（コンタクト１１をインシュレータ３１から離脱する離脱方向に相当）Ｂに連接されている係止部１３と、係止部１２から第２の方向に連接されている芯線接続部１４と、芯線接続部１４から第２の方向Ｂに連接されている被覆圧着部１５とを有している。
【００１８】
接触部１２、係止部１３、芯線接続部１４、及び被覆圧着部１５は、これらが一軸線Ｘに沿って長い寸法に形成した互いに共通する長板形状の連結板部１６によって一体に連接されている。
【００１９】
接触部１２は、ベース板部１６の一部と、一軸線Ｘを直交するベース板部１６の幅方向Ｙ（図２を参照）の一対の辺からベース板部１６の一面上方へ相対向して延びている一対の接触側板部１２ａ，１２ｂと、ベース板部１６に平行に対向しかつ一方の接触側板部１２ａに接続されている接触支持部１２ｃとを有している。
【００２０】
さらに、接触部１２は、一対の接触側板部１２ａ，１２ｂの一方に第１の方向Ａの一端側で接続されて一対の接触側板部１２ａ，１２ｂ間で一端側から第２の方向Ｂへ延びている第１の接触バネ片１２ｆと、一対の接触側板部１２ａ，１２ｂのもう一方に第２の方向Ｂの一端側で接続されて一対の接触側板部１２ａ，１２ｂ間で第１の方向Ａへ延びている第２の接触バネ片１２ｇとを有している。
【００２１】
第１の接触バネ片１２ｆと第２の接触バネ片１２ｇとは、これらの先端部分が、第１の接触バネ片１２ｆをベース板部１６側として重ね合わされている。第１の接触バネ片１２ｆには、第２の方向Ｂからインシュレータ３１内へ挿入されて接触部１２へ入り込む相手側コネクタ（図示せず）の導電性の相手コンタクト５１に接触する。
【００２２】
なお、接触部１２を構成するベース板部１６、一対の接触側板部１２ａ，１２ｂ及び接触支持部１２ｃは、外力に対して第１の接触バネ片１２ｆと第２の接触バネ片１２ｇを保護する役目も果たしている。
【００２３】
係止部１３は、ベース板部１６に対向しかつベース板部１６に対して近づく向きの変位方向Ｚ（図２に示した矢印Ｚ方向）に変位する板バネ形状の係止バネ片２１と、一軸線Ｘを直交するベース板部１６の幅方向Ｙの一辺側から係止バネ片２１の変位方向Ｚに沿って延びている第１保護側板部２３ａと、第１保護側板部２３ａから曲げられて係止バネ片２１に対向するように係止バネ片２１の上方に対向して覆っている第２保護側板部２３ｂとを有している。
【００２４】
さらに、係止部１３は、一軸線Ｘを直交するベース板部１６の幅方向Ｙのもう一辺側から第１バネ保護部２３ａに対向するように係止バネ片２１の変位方向Ｚに沿って延びている第３保護側板部２４を有している。第２保護側板部２３ｂ及び第３保護側板部２４間には、後述する係止突起部３４が入り込む第１の隙間Ｇを有している。なお、第１の隙間Ｇの寸法は、係止バネ片２１の変位方向Ｚにおける係止突起部３４の突出寸法よりも少し大きい寸法である。
【００２５】
なお、第１及び第２保護側板部２３ａ，第３保護側板部２４は、コンタクト１１を搬送するときや、インシュレータ３１へコンタクト１１を挿入するときに薄板形状の係止バネ片２１が外力により変形しないように保護する役目を果たす。
【００２６】
係止バネ片２１は、接触支持板１２ｃの一端に接続されているバネ基部２１ａと、第２の方向Ｂにおけるバネ基部２１ａの一端に接続されているバネ傾斜部２１ｂと、バネ傾斜部２１ｂの先端側で第２保護側板部２３ｂに平行に形成されているバネ端部２１ｃとを有している。
【００２７】
なお、この実施の形態例では、第２保護側板部２４に第１及第２保護側板部２３ａ，２３ｂを形成するようにしてもよい。この際、第１及第２保護側板部２３ａ，２３ｂは、第２保護側板部２４に変更する。係止バネ片２１は、第２保護側板部２３ｂの下側でベース板部１６に対向するように延びており、ベース板部１６から見ると接触支持部１２ｃよりも高い位置に第２保護側板部２３ｂが形成されている。
【００２８】
芯線接続部１４は、ベース板部１６から接触支持板１２ｃよりも上方へ位置するように延びて相対向している一対の接続片１４ａ，１４ｂを有している。被覆圧着部１５は、ベース板部１６側から接触支持板１２ｃよりも上方へ位置するように延びて相対向している一対の圧着片１５ａ，１５ｂを有している。
【００２９】
一対の接続片１４ａ，１４ｂは、図３に示すように、ケーブル６１の芯線６２に接続するように先端部分を曲げることによって接続される。また、ケーブル６１の芯線６２を被覆している絶縁性の被覆部６３は、芯線６２とともにケーブル６１を保持するために先端部分を曲げることによって保持される。
【００３０】
なお、コンタクト１１は、薄い金属板のような導電板をプレス打ち抜き加工することによってコンタクト展開形状を形成した後、曲げ加工を施すことによって作ることができる。この際、接触部１２の接触支持板部１２ｃと一方の接触側板１２ｂは、幅方向Ｙを直交する各辺で合わせるように曲げることによって接触部１２が筒形状をなすように形成する。
【００３１】
インシュレータ３１は、図１及び図４に示すように、一軸線Ｘで長い寸法の複数のコンタクト収容部３２ａ，３２ｂ，３２ｃ，３２ｄを有している。
【００３２】
コンタクト収容部３２ａ〜３２ｄは、コンタクト１１の一軸線Ｘ方向の寸法よりも長い寸法となっている。コンタクト収容部３２ａ〜３２ｄは、一軸線Ｘの第１及び第２の方向における両端が開放されており、一軸線Ｘ回りの方向における移動を規制してコンタクト１１を一軸線Ｘに沿って第１の方向Ａへ挿入するように周囲を複数の壁部３６，３７，３８，３９，４０，４２，４３（壁部４３は図４を参照）の壁面３６ｂ，３８ａ，３８ｂ，３９ａ，３９ｂ，４０ａ，４０ｂ，３７ａ，４３ａ（壁面４３ａは図４を参照）によって一軸線Ｘを直交する断面で略四角形状に囲まれている。
【００３３】
図１に示した４つのコンタクト収容部３２ａ〜３２ｄでは、図示の最上段のコンタクト収容部３２ａが、コンタクト１１のベース板部１６を設置する第１壁面３８ａと、第１壁面３８ａに対向している第２壁面３６ｂと、第１及び第２壁面３８ａ，３６ｂ間を接続している第３壁面４２ａ及び第４壁面４３ａによって形成されている。なお、第３壁面４２ａ及び第４壁面４３ａは、コンタクト収容部３２ａ〜３２ｄに共通している壁面である。
【００３４】
２段目のコンタクト収容部３２ｂでは、コンタクト１１のベース板部１６を設置する第１壁面３９ａと、第１壁面３９ａに対向している第２壁面３８ｂと、第１及び第２壁面３９ａ，３８ｂ間を接続している第３壁面４２ａ及び第４壁面４３ａによって形成されている。
【００３５】
３段目のコンタクト収容部３２ｃでは、コンタクト１１のベース板部１６を設置する第１壁面４０ａと、第１壁面４０ａに対向している第２壁面３９ｂと、第１及び第２壁面４０ａ，３９ｂ間を接続している第３壁面４２ａ及び第４壁面４３ａによって形成されている。
【００３６】
４段目のコンタクト収容部３２ｄでは、コンタクト１１のベース板部１６を設置する第１壁面３７ａと、第１壁面３７ａに対向している第２壁面４０ｂと、第１及び第２壁面３７ａ，４０ｂ間を接続している第３壁面４２ａ及び第４壁面４３ａによって形成されている。
【００３７】
４つのコンタクト収容部３２ａ〜３２ｄのそれぞれには、第４壁面４３ａに略楔形状をなす係止突起部３４が各コンタクト収容部３２ａ〜３２ｄに１つづつ設けられている。
【００３８】
係止突起部３４は、インシュレータ３１をプラスチック材によって成型加工するときに同時に成型される。係止突起部３４及び第２壁面３６ｂ，３８ｂ，３９ｂ，４０ｂ間は、コンタクト１１をコンタクト収容部３２ａ〜３２ｄのそれぞれに収容する途中で第２保護側板部２３ｂが入り込む第２の隙間Ｓを有している。なお、第２の隙間Ｓの寸法は、係止バネ片２１の変位方向Ｚにおける第２保護側板部２３ｂの板厚寸法よりも少し大きい寸法である。
【００３９】
係止突起部３４は、コンタクト１１をコンタクト収容部３２ａ〜３２ｄの所定位置へ収容した状態で、係止バネ片２１が係止してコンタクト１１の第２の方向Ｂへの移動を規制するように第４壁面４３ａからコンタクト収容部３２ａ〜３２ｄへ突出している。
【００４０】
係止突起部３４は、コンタクト収容部へコンタクト１１が第１の方向Ａで挿入されて第２の隙間Ｓに第２保護側板部２３ｂが受け入れられ、かつ第２保護側板部２３ｂ及び係止バネ片２１間に係止突起部２４が位置したときに係止バネ片２１の板面に当接する平面形状のテーパ面３４ａと、さらにコンタクト１１が第１の方向Ａへ挿入されたときにテーパ面３４ａに引き続き係止バネ片２１の板面が摺接しつつベース板部１６側へ押圧しつつ変位させる平面形状の第１摺接面３４ｂとを有している。
【００４１】
さらに、係止突起部３４は、第２保護側板部２３ｂ及び係止バネ片２１間に係止突起部３４が位置したときに第２保護側板部２３ｂに摺接する平面形状の第２摺接面３４ｃと、コンタクト１１が所定位置に位置したときに係止バネ片２１の先端が対向してコンタクト１１の第２の方向Ｂへの移動を阻止する係止面３４ｄとを有している。
【００４２】
テーパ面３４ａは、第２の方向Ｂの先端から第１の方向Ａへかつ第１壁面３８ａ，３９ａ，４０ａ，３７ａ側へ下向きに傾斜している。第１摺接面３４ｂと第２摺接面３４ｃとは、これらが隣接しており、第１壁面３８ａ，３９ａ，４０ａ，３７ａ及び第２壁面３６ｂ，３８ｂ，３９ｂ，４０ｂに対してそれぞれが平行に形成されている。
【００４３】
以下、図１を参照して、コンタクト１１をインシュレータ３１のコンタクト収容部３２ａ〜３２ｄへ挿入し、インシュレータ３１にコンタクト１１を保持する操作について説明する。なお、図１では、図３によって説明したケーブル６１を省略した状態で示している。　図１において、最上段のコンタクト収容部３２ａでは、コンタクト１１が挿入されていない状態を示している。２段目及び３段目のコンタクト収容部３２ｂ，３２ｃでは、コンタクト１１を挿入している途中の状態を示している。最下段のコンタクト収容部３２ｄでは、コンタクト１１が収容されて係止突起部３４に係止バネ片２１が係止されている状態を示している。
【００４４】
今、最上段のコンタクト収容部３２ａにコンタクト１１が挿入されていない状態から、２段目のコンタクト収容部３２ｂにおいて示すようにコンタクト１１を第１の方向Ａでコンタクト収容部３２ｂに挿入すると、第２保護側板部２３ｂ及び第３保護側板部２４間の第１の隙間Ｇに係止突起部３４が位置し、係止突起部３４の第２摺接面３４ｃ及び第２壁面３６ｂ間における第２の隙間Ｓに第２保護側板部２３ｂが入り込む。このとき、係止突起部３４のテーパ面３４ａに係止バネ片２１のバネ傾斜部２１ｂが当接する。
【００４５】
さらに、コンタクト１１を第１の方向Ａへ挿入していくと、３段目のコンタクト収容部３２ｃにおいて示すように、バネ傾斜部２１ｂが係止突起部３４の第１摺接面３４ｂから離れ、係止バネ片２１のバネ端部２１ｃが第１摺接面３４ｂによって押圧されて撓み図１の下方、即ちベース板部１６側へ変位する。このとき、係止部１３の第２保護側板部２３ｂは、係止突起部３４の第２摺接面３４ｃを摺接して第２保護側板部２３ｂが第１の方向Ａへ移動する。
【００４６】
そして、さらに、４段目のコンタクト収容部３２ｄにおいて示すように、コンタクト１１を第１の方向Ａへ挿入していくと、係止バネ片２１のバネ端部２１ｃが係止突起部３４を乗り越えて、４段目のコンタクト収容部３２ｄに示すように、バネ端部２１ｃが係止突起部３４の第１摺接面３４ｂから係止バネ片２１のバネ端部２１ｃが外れることによって押圧が解除され、図１の上方へ係止バネ片２１がバネ復元力によって元の位置へ戻る。このときの係止バネ片２１の形態及び位置は、２段目の係止バネ片２１の形態と同じである。この状態では、係止バネ片２１のバネ端部２１ｃの先端が係止突起部３４の係止面３４ｄに限りなく近づいて対向するか、互いに当接するように位置させることができるので、ケーブル６３を第２の方向Ｂへ引き抜こうとしても係止バネ片２１、係止突起部３４などが破壊されない限り引き抜くことができず、コンタクト１１の第２の方向Ｂへの移動が阻止される。
【００４７】
また、４段目のコンタクト収容部３２ｄにおいては、係止突起部３４の第２摺接面３４ｃに摺接して第２保護側板部２３ｂが第１の方向Ａへ同時に移動し、コンタクト１１をコンタクト収容部３２ａ〜３２ｄの所定位置に収容した状態では、係止突起部３４の第１摺接面３４ｃに第２保護側板部２３ｂの第２の方向Ｂにおける端部が対向している。
【００４８】
なお、インシュレータ３１には、第１の方向Ａの先端面側に相手コンタクト５１を各コンタクト収容部３２ａ〜３２ｄから接触部１２へ正しい姿勢で挿入できるようにガイドするガイド穴３１ｅが形成されている。また、各コンタクト収容部３２ａ〜３２ｄには、インシュレータ３１内にガイド穴３１ｅを形成しているガイド壁面３１ｍが形成されているので接触部１２の第１の方向Ａにおける先端がガイド壁面３１ｍに当ることでコンタクト収容部３２ａ〜３２ｄの所定位置に位置決めされる。
【００４９】
以上に説明したインシュレータ３１のコンタクト収容部３２ａ〜３２ｄへコンタクト１１を挿入する過程では、壁面３６ｂ，３８ａ，３８ｂ，３９ａ，３９ｂ，４０ａ，４０ｂ，３７ａ，４３ａに対して第１及び第２保護側板部２３ａ，第３保護側板部２４が当ることが想定される。しかし、係止バネ片２１は、第１及び第２保護側板部２３ａ，第３保護側板部２４の内側となるように覆われて保護されているので、作業時における外力による係止バネ片２１の変形を防止することができる。
【００５０】
図５乃至図７は、本発明に係るコネクタの第２実施の形態例を示している。なお、第２実施の形態例におけるコネクタを説明するにあたり、第１実施の形態例の係止部１３における係止バネ片２１のみであることから、図１乃至図３によって説明した係止部１３の係止バネ片２１を除く各部分の説明については、同じ符号を付して説明を省略する。
【００５１】
図５乃至図７を参照して、第２実施の形態例における係止部１３の係止バネ片１２１は、第３保護側板部２４に接続されている。係止バネ片１２１は、接触支持板１１２ｃの一端に接続されているバネ基部１２１ａと、第２の方向Ｂにおけるバネ基部１２１ａの一端に接続されているバネ傾斜部１２１ｂと、バネ傾斜部１２１ｂの先端側で第２保護側板部１２３ｂに平行に形成されているバネ端部１２１ｃとを有している。
【００５２】
以下、図５を参照して、コンタクト１１をインシュレータ３１のコンタクト収容部３２ａ〜３２ｄへ挿入し、インシュレータ３１にコンタクト１１を保持する操作について説明する。
【００５３】
図５において、最上段のコンタクト収容部３２ａでは、コンタクト１１が挿入されていない状態を示している。２段目及び３段目のコンタクト収容部３２ｂ，３２ｃでは、コンタクト１１を挿入している途中の状態を示している。最下段のコンタクト収容部３２ｄでは、コンタクト１１が収容されて係止突起部３４に係止バネ片１２１が係止されている状態を示している。
【００５４】
今、最上段のコンタクト収容部３２ａにコンタクト１１が挿入されていない状態から、２段目のコンタクト収容部３２ｂにおいて示すようにコンタクト１１を第１の方向Ａでコンタクト収容部３２ｂに挿入すると、第２保護側板部２３ｂ及び第３保護側板部２４間の第１の隙間Ｇに係止突起部３４が位置し、係止突起部３４の第２摺接面３４ｃと第２壁面３６ｂとの間の第２の隙間Ｓに第２保護側板部２３ｂが入り込む。このとき、係止突起部３４のテーパ面３４ａに係止バネ片１２１のバネ傾斜部１２１ｂが当接する。
【００５５】
さらに、コンタクト１１を第１の方向Ａへ挿入していくと、３段目のコンタクト収容部３２ｃにおいて示すように、バネ傾斜部１２１ｂが係止突起部３４の第１摺接面３４ｂから離れ、係止バネ片１２１のバネ端部１２１ｃが第１摺接面３４ｂによって押圧されて撓み図５の下方、即ちベース板部１６側へ変位する。このとき、係止部１３の第２保護側板部２３ｂは、係止突起部３４の第２摺接面３４ｃを摺接して２３ｂが第１の方向Ａへ移動する。
【００５６】
そして、さらに、４段目のコンタクト収容部３２ｄにおいて示すように、コンタクト１１を第１の方向Ａへ挿入していくと、係止バネ片１２１のバネ端部１２１ｃが係止突起部３４を乗り越えて、４段目のコンタクト収容部３２ｄに示すように、バネ端部１２１ｃが係止突起部３４の第１摺接面３４ｂから係止バネ片１２１のバネ端部１２１ｃが外れることによって押圧が解除され、図５の上方へ係止バネ片１２１がバネ復元力によって元の位置へ戻る。この位置は、２段目の係止バネ片１２１の形態と同じである。この状態では、係止バネ片１２１のバネ端部１２１ｃの先端が係止突起部３４の係止面３４ｄに限りなく近づいて対向するか、互いに当接するように位置させることができるので、ケーブル６３を第２の方向Ｂへ引き抜こうとしても係止バネ片１２１、係止突起部３４などが破壊されない限り引き抜くことができず、コンタクト１１の第２の方向Ｂへの移動が阻止される。
【００５７】
また、４段目のコンタクト収容部３２ｄにおいては、係止突起部３４の第２摺接面３４ｃに摺接して第２保護側板部２３ｂが第１の方向Ａへ同時に移動し、コンタクト１１をコンタクト収容部３２ａ〜３２ｄの所定位置に収容した状態では、係止突起部３４の第１摺接面３４ｃに第２保護側板部２３ｂの第２の方向Ｂにおける端部が対向している。
【００５８】
なお、第１及び第２実施の形態例では、コンタクト１１の形状を一般に筒形状（ソケット状）の接触部１２をもつソケット型コンタクトと呼ばれているコンタクト１１によって説明したが、インシュレータに挿入してコンタクトをインシュレータに係止しインシュレータ内でコンタクトを保持する周知なコンタクトにおいても、係止部１３を形成することによって本発明を適用できることはいうまでもない。
【００５９】
【発明の効果】
以上説明したように、本発明に係るコネクタによれば、係止部はベース板部に対して近づく向きの変位方向で変位する係止バネ片と、係止バネ片の変位方向に沿って延びている第１保護側板部と、第１保護側板部から曲げられて係止バネ片の変位方向で対向するよう係止バネ片を覆っている第２保護側板部とを有し、インシュレータの壁面には、コンタクトをコンタクト収容部へ挿入する途中で係止バネ片及び第２保護側板部間に受け入れて係止バネ片を変位方向へ押圧しかつコンタクトをコンタクト収容部の所定位置に収容した状態で係止バネ片の第２の方向における先端に対向しコンタクトの第２の方向への移動を規制するようにコンタクト収容部へ突出している係止突起部が設けられているので、第１保護側板部及び第２保護側板部は、コンタクトを搬送するときや、インシュレータへコンタクトを挿入するとき係止バネ片が外力により変形しないように保護することができる。
【００６０】
また、コンタクトは、導電板をプレス打ち抜き加工を行った後、曲げ加工を施すことによって製作することができ、インシュレータの係止突起部は、プラスチック材によってインシュレータを成型するときに同時に成型することができるので、プラスチック材料によってインシュレータを成型する際に、同時に成型される係止突起部の未充填を防止することができるので、十分にコンタクトの保持ができる係止突起部が得られる。
【図面の簡単な説明】
【図１】本発明に係るコネクタの第１実施の形態例を示しており、コンタクトを挿入し保持するまでの過程を示す断面図である。
【図２】図１に示したコンタクトを、ケーブルを接続する前の状態で拡大して示した斜視図である。
【図３】図１に示したコンタクトにケーブルを接続する状態を示した側面図である。
【図４】図１に示した係止突起部を拡大しインシュレータの一部を断面して示した断面図である。
【図５】本発明に係るコネクタの第２実施の形態例を示しており、コンタクトを挿入し保持するまでの過程を示す断面図である。
【図６】図５に示したコンタクトを、ケーブルを接続する前の状態で拡大して示した斜視図である。
【図７】図５に示したコンタクトにケーブルを接続する状態を示した側面図である。
【図８】従来のコネクタの要部を示した断面図である。
【符号の説明】
１１，３１１　　コンタクト
１２，３１２　　接触部
１３，３３４　　係止部
１６　　ベース板部
２１，１２１　　係止バネ片
２１ｂ，１２１ｂ　　バネ傾斜部
２１ｃ，１２１ｃ　　バネ端部
２３ａ　　第１保護側板部
２３ｂ　　第２保護側板部
２４　　第３保護側板部
３１，３３１　　インシュレータ
３２ａ，３２ｂ，３３ｃ，３３ｄ，３３７　　コンタクト収容部
３４　　係止突起部
３４ａ　　テーパ面
３４ｂ　　第１摺接面
３４ｃ　　第２摺接面
３４ｄ　　係止面
３６ｂ，３８ｂ，３９ｂ，４０ｂ　　第２壁面
３７ａ，３８ａ，３９ａ，４０ａ　　第１壁面
４２ａ　　第３壁面
４３ａ　　第４壁面
５１　　相手コンタクト
４０１　　ランス
Ａ　　第１の方向
Ｂ　　第２の方向
Ｇ　　隙間
Ｓ　　隙間
Ｘ　　一軸線
Ｙ　　幅方向
【図１】
2004134109.tif 000003
【図２】
2004134109.tif 000004
【図３】
2004134109.tif 000005
【図４】
2004134109.tif 000006
【図５】
2004134109.tif 000007
【図６】
2004134109.tif 000008
【図７】
2004134109.tif 000009
【図８】
2004134109.tif 000010